(57)【要約】【課題】  端末側の入力者が選択した選択色により入力者の目的アイテムに対する適合色を検索して、その色彩心理適合色情報を入力者に提供する。【解決手段】  端末側において、複数色のうち１色又は複数色を選択して少なくとも入力者の目的アイテムに対する選択色を入力する選択色入力手段と、これら選択色をサーバーに送信する選択色送信手段とを有し、サーバー側において、前記選択色に対する適合色を蓄積した色彩心理適合色データベースを有し、この色彩心理適合色データベースから前記入力された選択色に基づき入力者の目的アイテムに対する適合色を検索する色彩心理適合色検索手段と、端末側においてこの検索された適合色を表示する色彩心理適合色表示手段と、その適合色を有する商品を商品アイテムデータベースより検索する商品アイテム検索手段とからなる【選択図】図１
2009277201.tif 000002
【特許請求の範囲】
【請求項１】
端末側において、複数色のうち１色又は複数色を選択して少なくとも入力者の目的アイテムに対する選択色を入力する選択色入力手段と、これら選択色をサーバーに送信する選択色送信手段とを有し、サーバー側において、前記選択色に対する適合色を蓄積した色彩心理適合色データベースを有し、この色彩心理適合色データベースから前記入力された選択色に基づき入力者の目的アイテムに対する適合色を検索する色彩心理適合色検索手段と、端末側においてこの検索された適合色を表示する色彩心理適合色表示手段と、その適合色を有する商品を商品アイテムデータベースより検索する商品アイテム検索手段とからなる色彩心理適合色情報ネットワークシステム。
【請求項２】
前記選択色入力手段は、端末側のモニターに表示される複数の色ボタンから入力者が特定する１の選択色信号を入力する請求項１記載の色彩心理適合色情報ネットワークシステム。
【請求項３】
前記選択色入力手段は、端末側のモニターに表示される箱の仕切内に収納する複数色を選択する信号と、別途箱の目的アイテム仕切内に移行させたことを確認する信号とを入力する請求項１記載の色彩心理適合色情報ネットワークシステム。
【請求項４】
前記選択色入力手段は、端末側のモニターに表示される複数の色ボタンから入力者が特定の色を選択する信号と、別途複数の目的アイテム空白内に移行させたことを確認する信号とを入力する請求項１記載の色彩心理適合色情報ネットワークシステム。
【発明の詳細な説明】
【発明の詳細な説明】
【技術分野】
【０００１】  本発明は、端末側の入力者が選択した選択色により、入力者に必要な目的アイテムに対する適合色を色彩心理適合色情報データベースから検索し、この検索結果に基づきその適合色を有する商品情報を提供するようにした色彩心理適合色情報ネットワークシステムに関するものである。
【背景技術】
【０００２】  例えば、特許文献１には、服飾商品に関し、商品の属性情報と、商品の取扱業者に関する情報とを含む商品データが記憶されている商品データベースと、組み合わせに適した服飾品の属性情報が互いに関連付けられているコーディネート情報が記憶されているコーディネートデータベースと、顧客が保有する服飾品の属性情報である保有品属性情報を端末から受信する受信手段と、前記保有品属性情報と合致する属性情報を含むコーディネート情報を前記コーディネートデータベースから検索する検索手段と、前記検索したコーディネート情報において前記保有品属性情報と合致する属性情報に関連付けられている属性情報を抽出する属性情報抽出手段・・・等を備えることを特徴とする商品情報提供サーバーが記載されている。
【特許文献１】特開２００５−２２２３５０号公報
【０００３】  そして、この商品の属性情報は色情報を含み、前記コーディネート情報は色情報がカラーコーディネート用に関連付けられているカラーコーディネート情報と、カラーセラピーコーディネート用に関連付けられているカラーセラピーコーディネート情報とを含み、前記保有品属性情報と合致する色情報を含むカラーセラピーコーディネート情報を検索し、当該カラーセラピーコーディネート情報において前記保有品属性情報の色情報と合致する色情報に関連付けられている色情報を抽出する旨記載されている。【０００４】  しかしながら、この特許文献１においては、あくまでコーディネート情報の提供を主体とし、保有品属性情報の色情報から関連する色情報を抽出してコーディネートするものであって、保有品属性情報に限定される。したがって、入力者が選択した１色または複数色の選択色からその入力者に必要な色彩心理適合色を検索して、入力者の目的アイテムに対する適合色情報を提供するものではない。
【発明が解決しようとする課題】
【０００５】  本発明は、端末側の入力者が選択した選択色により、入力者に必要な目的アイテムに対する適合色を色彩心理適合色データベースから検索して入力者に提案し、その適合色を有する商品の情報を提供しようとするものである。
【課題を解決する手段】
【０００６】  請求項１の発明は、端末側において、複数色のうち１色又は複数色を選択して少なくとも入力者の心情目的アイテムに対する選択色を入力する選択色入力手段と、これら選択色をサーバーに送信する選択色送信手段とを有し、サーバー側において、前記選択色に対する適合色を蓄積した色彩心理適合色データベースを有し、この色彩心理適合色データベースから前記入力された選択色に基づき入力者の目的アイテムに対する適合色を検索する色彩心理適合色検索手段と、端末側においてこの検索された適合色を表示する色彩心理適合色表示手段と、その適合色を有する商品を商品アイテムデータベースより検索する商品アイテム検索手段とからなる色彩心理適合色情報ネットワークシステムを提供するものである。
【０００７】  この発明においては、端末側の入力者が選択した選択色により入力者に必要な目的アイテムに対する適合色を色彩心理適合色データベースから検索して、その適合色情報を提供することができる。そして、端末側の入力者が選択した色や選んだ場所で入力者の深層心理に気づき入力者の欲する色、選択した色や選んだ順番からも入力者の心地よく感じる色が判り、入力者が納得する適合色を提案することができる。このように提案された適合色は入力者にとっては極めて満足度の高いものとなる。
【０００８】  また、請求項２の発明は、前記選択色入力手段は、端末側のモニターに表示される複数の色ボタンから入力者が特定する１の選択色信号を入力する請求項１記載の色彩心理適合色情報ネットワークシステムを提供するものである。
【０００９】  この発明においては、入力者が特定の１の選択色信号を選択して、入力者が自分の１番気になる目的アイテムを自ら入力でき、その目的アイテムに対する入力者に必要な色彩心理適合色を提供することができる。そして、入力者が特定の１色を選ぶことにより入力者の心理状態が判り、目的アイテムに従って自分でも気付いていない深層心理を知ることで、本当の自分が何を思っているのか、また何につまづいているのかを気づくことができる。その上で、入力者の今後の動きなどに必要な適合色が特定できる。
【００１０】  また、請求項３発明は、前記選択色入力手段は、端末側のモニターに表示される箱の仕切内に収納する複数色を選択する信号と、別途箱の目的アイテム仕切内に移行させたことを確認する信号とを入力する請求項１記載の色彩心理適合色情報ネットワークシステムを提供するものである。
【００１１】  この発明においては、入力者が自分で気の付かない目的アイテムに選択色を入力し、自分で気の付かない目的アイテムに対する入力者に必要な色彩心理適合色を提供することができる。そして、入力者が選んだ色とその色を置いた場所（目的アイテム仕切内）から目的アイテムの気になっている順番と、その問題に対しての自分の思いや今後必要な適合色が判る。当然上記と同様目的アイテムに従って自分でも気付いていない深層心理を知ることで、本当の自分が何を思っているもか、また何につまづいているのかを気づくことができる。その上で、入力者の今後の動きなどに必要な適合色が特定できる。
【００１２】  さらに、請求項４の発明は、前記選択色入力手段は、端末側のモニターに表示される複数の色ボタンから入力者が特定の色を選択する信号と、別途複数の目的アイテム空白内に移行させたことを確認する信号とを入力する請求項１記載の色彩心理適合色情報ネットワークシステムを提供するものである。
【００１３】  この発明においては、入力者が自分で気の付かない目的アイテムに選択色を入力し、自分で気の付かない目的アイテムに対する入力者に必要な色彩心理適合色を提供することができる。そして、入力者が選んだ色とその色を置いた場所（目的アイテム空白内）や順番から、目的アイテムの気になっている順番とその問題に対する自分の思いや今後必要な適合色が判る。
【発明を実施するための最良の形態】
【００１４】  以下に本発明の一実施形態を図面に基づき説明する。図１は本発明の色彩心理適合色情報ネットワークシステムの概略ブロックダイアグラムで、左が端末側、右上がサーバー側、右下が取引先データベース側である。即ち、端末側においては複数の色ボタン（ａ１〜ａ９）のうち１色を選択して少なくとも入力者の目的アイテムに対する選択色を入力する選択色入力手段１を有している。また、選択色入力手段１と同時に入力者の男女別、年齢、職業、星座、生まれ月（十二支）、血液型等の個人情報入力手段２（図２）、及び入力者が気になる恋愛、金運、職業運、家庭運、子宝等の目的アイテム入力手段３を有している。そして、これらの入力情報をサーバー側へ送信する送信手段４を有する。【００１５】  また、サーバー側においては前記選択色に対する入力者の目的アイテムに対する適合色を蓄積した色彩心理適合色データベース５を有している。図３に示すように、この色彩心理適合色データベース５（１）は選択色（赤、黄、緑、青等）に対し、それぞれ目的アイテム（例えば、恋愛、金運、仕事運、人間関係、子宝等）に分かれ、また調子の良いときは○、調子の悪いときは×とし、それらについての各適合色（最良色、良色、混色、「危険色の検索表示も含む」、相性色等）が経験則に基づき空欄に蓄積されている（具体的適合色については省略する）。そして、この色彩心理適合色データベース５（１）から前記入力された選択色に基づき入力者の目的アイテムに対する適合色を検索する検索手段６を有している。【００１６】  一方、端末側においては、この検索された適合色を表示する適合色表示手段７と、その適合色を有する商品を商品アイテムデータベース８（図５）より検索６する商品アイテム表示手段９（図５）と、前記適合色表示手段７と共に適合色に関する入力者へのメッセージをサーバー側のメッセージデータベース１０（図４）より検索６して表示するメッセージ表示手段１１とを有している。上記商品アイテム表示する場合、上記個人情報入力により、例えば、男女別、年齢別に絞って検索６して表示するようにしている。【００１７】  そして、前記適合色表示手段７における色に基づいて、その入力者に必要な適合色を有する商品を購入したい場合、商品アイテムデータベース８（図５）からの商品アイテム表示手段９における商品アイテムを入力１２（画面上の商品表示をクリックする等による）すると、注文先データベース１３（図６）より、入力した商品取引先のホームページ等の注文先が表示１４される。この注文先表示１４に基づき商品を注文１５する。【００１８】  尚、上記個人情報入力手段２、目的アイテム入力手段３、色彩心理適合色データベース５、商品アイテムデータベース８、メッセージデータベース１０、注文先データベース１３における蓄積データの内容は常時追加・変更可能なものとする。また、端末側及びサーバー側で必要とする記憶手段は、例えば個人情報入力手段２、目的アイテム入力手段３、色彩心理適合色データベース５、商品アイテムデータベース８、メッセージデータベース１０、注文先データベース１３に必要に応じて備えることができる。【００１９】  図７は本発明の前記選択色入力手段１における他の実施例であり���この選択色入力手段１０１は、端末側のモニターに表示される箱の９つの仕切１０２内に収納する複数色（ｂ１〜ｂ９）を、別途箱１０３の９つの目的アイテム仕切（Ｂ１〜Ｂ９）内に入力者の思うままに移行（ドラッグ等）するようにしている。目的アイテム仕切（Ｂ１〜Ｂ９）は、横列に人間関係、経済、恋愛、縦列に生活、健康、仕事とそれぞれに関係する心情カテゴリーであり、入力者が自分で気の付かない目的アイテムに選択色を入力することにより、入力者に必要な自分で気の付かない目的アイテムに対する適合色を得ることができる。尚、図示しないが、前記箱の９つの仕切１０２内に収納する複数色（ｂ１〜ｂ９）はそれぞれ大きさや質感を変化させた同色を準備し、それを選ぶことによりその問題が入力者にとって大きいのか小さいのか、若しくは２個選んだとしたらどちらの問題が入力者にとって大きいのかを判断することもできる。【００２０】  上記目的アイテム（心情カテゴリー）は、例えば、Ｂ１では人間関係にまつわる生活状態、Ｂ２では生活する上での経済的苦痛、Ｂ３では結婚生活・男女間のトラブル、Ｂ４では家族内での健康トラブル、Ｂ５では健康面が原因する経済的トラブル、Ｂ６では健康面が原因する恋愛トラブル、Ｂ７では仕事上での人間関係、Ｂ８では仕事上での経済的トラブル、Ｂ９では仕事上での男女間トラブ等である。尚、図７下段の目的アイテム（Ｂ１〜Ｂ９）は入力者には分からない様にふせてある。【００２１】  図８に示すように、色彩心理適合色データベース５（２）は選択色（赤、黄、緑、青等）に対し、それぞれ前記目的アイテム（Ｂ１〜Ｂ９）に分かれ、また調子の良いときは○、調子の悪いときは×とし（端末から別途入力し、色彩心理適合色データベース５の検索項目とする）、それらについての各適合色（最良色、良色、混色、危険色、相性色等）が経験則に基づき図８の各空欄に蓄積されている。そして、前記と同様この色彩心理適合色データベース５（２）から前記入力された選択色に基づき入力者の目的アイテム（Ｂ１〜Ｂ９）に叶った適合色を表示するようにしている。【００２２】  図９は本発明の前記選択色入力手段１におけるさらに他の実施例であり、この選択色入力手段２０１は、端末側のモニターに表示される複数の色ボタン（ｃ１〜ｃ６）から入力者が特定の色を別途６つの目的アイテム空白（Ｃ１〜Ｃ６）内に移行（ドラッグ等）するようにしたものであり、入力者が自分で気の付かない目的アイテムに選択色を入力することにより、入力者に必要な自分で気の付かない目的アイテムに対する適合色を得ることができる。尚、６つ以上の色ボタンを準備してその入力の順番などにより、より詳細な情報（気分が上昇中か、下降ぎみかなど）を得ることもできる。【００２３】  上記目的アイテム（心情カテゴリー）は、例えば、Ｃ１は将来のことに対する希望や思い、Ｃ２は自分の心の本音、Ｃ３は今の自分の心の状態、Ｃ４は自分の周りの人（対人）に対する思い、Ｃ５は育ってきた家庭環境・境遇に対する思い、Ｃ６は自分から見た周囲の人が自分をどう思っているだろうかという想像である。尚、図９下段の空白覧の心情カテゴリー（Ｃ１〜Ｃ６）は入力者には分からない様にふせてある。【００２４】  図１０に示すよう���、色彩心理適合色データベース５（３）は選択色（赤、黄、緑、青等）に対し、それぞれ前記目的アイテム（Ｃ１〜Ｃ９）に分かれ、また調子の良いときは○、調子の悪いときは×とし（端末から別途入力し、色彩心理適合色データベース５の検索項目とする）、それらについての各適合色（最良色、良色、混色、「危険色の検索表示も含む」、相性色等）が経験則に基づき図１０の空欄に蓄積されている。そして、前記と同様この色彩心理適合色データベース５（３）から前記入力された選択色に基づき入力者の目的アイテム（Ｃ１〜Ｃ９）に対する適合色を検索する検索手段６を有している。この実施例の場合、最初に入力した順番に入力者が１番気になっている目的アイテム順となる。
【発明の効果】
【００２５】  本発明は、端末側の入力者が選択した選択色により入力者の目的アイテムに対する色彩心理適合色を検索して入力者にその色情報を提供することができる。
【図面の簡単な説明】
【００２６】
【図１】  色彩心理適合色情報ネットワークシステムの概略ブロックダイアグラム
【図２】  個人情報入力画面
【図３】  色彩心理適合色データベース（１）
【図４】  メッセージデータベース
【図５】  商品データベース
【図６】  注文先データベース
【図７】  選択色入力手段の他の実施例
【図８】  図７の色彩心理適合色データベース（２）
【図９】  選択色入力手段のさらに他の実施例
【図１０】  図９の色彩心理適合色データベース（３）
【符号の説明】
１          選択色入力手段
２          個人情報入力手段
３          目的アイテム入力手段
４          サーバー側へ送信する送信手段
５          色彩心理適合色データベース
６          検索手段（色彩心理適合色データベース、商品アイテムデータベース、メッセージデータベースを含む検索手段）
７          色彩心理適合色表示手段
８          商品アイテムデータベース
９          商品アイテム表示手段
１０          メッセージデータベース
１１          メッセージ表示手段
１２          商品アイテム入力
１３          注文先データベース
１４          注文先表示
１５          商品注文
【図１】
2009277201.tif 000003
【図２】
2009277201.tif 000004
【図４】
2009277201.tif 000005
【図３】
2009277201.tif 000006
【図５】
2009277201.tif 000007
【図６】
2009277201.tif 000008
【図７】
2009277201.tif 000009
【図８】
2009277201.tif 000010
【図９】
2009277201.tif 000011
【図１０】
2009277201.tif 000012